(57)【特許請求の範囲】
【請求項１】
天板下面側の妻側端部で対向する両主脚をツナギ材でつないでなる主脚体と、両主脚内に夫々伸縮可能に嵌挿される両伸縮脚をツナギ材でつないでなる伸縮脚体とを備え、伸縮脚体の両伸縮脚には対向する位置に係止部を適当間隔おきに設け、主脚体にはツナギ材沿いにその中央側から両端側へ長く延び、中央側で対向する端部に把持部を形成した一対のロックシャフトを水平方向スライド自在に取り付け、常時はバネの付勢力で両ロックシャフトの夫々外端部を両伸縮脚の係止部に係止させることによって伸縮脚体を所要伸縮位置にロックし、両ロックシャフトの把手部を掴んでバネに抗し互いに引き寄せてシャフト外端部を両伸縮脚の係止部から引き離すことによりロック解除するようにした作業台の伸縮脚ロック装置において、
各ロックシャフトは、把持部を含むシャフト内端部からシャフト外端側へ長く延びる長尺状シャフト本体の外端部に、このシャフト本体よりも太径のロックピンを連設し、この太径のロックピンを各伸縮脚の係止部に係止させるようにし、
前記ロックピンは、シャフト本体とは別体に形成したもので、コネクターを介してシャフト本体に連結すると共に、ロックシャフトのロック作用時にコネクターの先端部を主脚に設けたロックピン側シャフトガイド金具に当接させることによってロックピンが伸縮脚の係止部側へ一定長さだけ突出するようにしてなることを特徴とする作業台の伸縮脚ロック装置。
【請求項２】
前記コネクターはスリーブ状ナット部材からなり、このスリーブ状ナット部材の両端部にシャフト本体及びロックピンの夫々連結端部に設けた雄ねじ部をねじ込んで、シャフト本体とロックピンとを連結するようにしてなることを特徴とする請求項１に記載の作業台の伸縮脚ロック装置。
【請求項３】
前記ロックシャフトの把持部側をシャフト長さ方向スライド自在に支持する把持部側シャフトガイド金具は、前記ツナギ材に取り付けられる取付板部と、この取付板部の一端部から直角下向きに延びるガイド板部とからなり、ガイド板部には、シャフト本体の内端部側を略コ字状に折曲して形成されるコ字状把持部を除くシャフト本体側が嵌挿する上下に長いシャフト本体側ガイド長孔と、コ字状把持部の先端部側が挿通する把持部先端部側ガイド孔とを上下に所定の間隔で設けると共に、シャフト本体側ガイド長孔の側部にシャフト本体側挿脱用の切欠開口を設けて、この切欠開口からシャフト本体側をガイド長孔に嵌め入れた後、コ字状把持部の先端部をガイド孔に軸方向に突入させることによって、シャフト本体側がガイド長孔の切欠開口からは抜け出ないようにしたことを特徴とする請求項１又は２に記載の作業台の伸縮脚ロック装置。
【発明の詳細な説明】
【技術分野】
【０００１】
本発明は、建物の建設現場等における天井の内装仕上げや天井内の配線、配管作業などの比較的高所で作業を行なうときに使用する作業台の伸縮脚ロック装置に関する。
【背景技術】
【０００２】
従来の作業台の伸縮脚ロック装置として、特許公報等の公知文献を具体的に挙げることは出来ないが、従来より使用されている作業台の伸縮脚ロック装置を、後述する本発明の実施形態を示す図１〜図４及び従来の伸縮脚ロック装置を示す図９を参照して説明する。この種の作業台は、図１の(a) ，(b) に示すように、天板１の下面側四隅部に配設された四本の主脚２・・・のうち天板１の妻側端部で対向する両主脚２，２を中間部及び下部側のツナギ材３，４でつなぐことにより形成される主脚体５と、各主脚体５の両主脚２，２内に夫々伸縮可能に嵌挿される両伸縮脚６，６の下端部どうしをツナギ材７でつなぐことによって形成される伸縮脚体８とを備え、そして伸縮脚体８の両伸縮脚６，６には、図４の(a) ，(b) に示すように、左右対向する位置に夫々係止部９を適当間隔おきに設け、主脚体５には、図２に示すようにツナギ材４の下面側沿いにその中央側から両端側へ長く延びて、中央側で対向する端部に把持部１２，１２を形成した一対のロックシャフト１３，１３を、シャフトガイド金具４７，５１（図９参照）により水平方向スライド自在に取り付け、常時は圧縮コイルバネ１４，１４の付勢力によって両ロックシャフト１３，１３の夫々外端部を両伸縮脚６，６の係止部９に係止させることにより伸縮脚６，６を夫々所要伸縮位置にロックし、そしてロック解除時には両ロックシャフト１３，１３の把持部１２，１２を掴んでバネ１４，１４に抗し互いに引き寄せてシャフト１３，１３外端部を両伸縮脚６，６の係止部９，９から引き離すことによってロック解除する。図９に示すシャフトガイド金具４７は、ツナギ板４の下面にリベット止めされる取付板部４８と、取付板部４８の一端部から下向き直角に延びるガイド板部４９とからなるもので、ガイド板部３９の上下部に設けたガイド孔４９ａ，４９ｂに把持部１２側のシャフトを挿通して、この把持部１２側シャフトの先端部にコイルバネ１４を嵌めて、雄ねじ部４５に螺着したナット４６で保持している。
【発明の概要】
【発明が解決しようとする課題】
【０００３】
この種作業台の伸縮脚ロック装置では、図３に示すように、主脚体５の幅方向中央部で両ロックシャフト１３，１３の対向端部を片手で同時に掴んでバネ１４，１４に抗して引き寄せるようにしてロック解除操作を行なうため、各ロックシャフト１３の長さを十分に長くする必要があり、また天板１及び主脚体５側の荷重がロックシャフト１３の外端部を介して伸縮脚６の係止部９にかかり、このシャフト１３外端部に相当な剪断力が作用するから、ロックシャフト１３の外端部の径は出来るだけ太くする必要がある。然るに、従来の伸縮脚ロック装置では、図９に示すように、長尺状ロックシャフト１３がその全長に亘って一様断面の丸鋼材によって形成されているために各ロックシャフト１３が重くなり、しかも作業台全体で４つのロックシャフト１３が設けられることから、作業台全体の重量が可なり増大するという問題がある。
【０００４】
本発明は、上記の事情に鑑み、ロックシャフト１３を出来るだけ軽くし、作業台全体の重量を軽減できるようにした伸縮脚ロック装置を提供することを目的としている。
【課題を解決するための手段】
【０００５】
上記課題を解決するための手段を、後述する実施形態の参照符号を付して説明すると、請求項１に係る発明は、天板１下面側の妻側端部で対向する両主脚２，２をツナギ材４でつないでなる主脚体５と、両主脚２，２内に夫々伸縮可能に嵌挿される両伸縮脚６，６をツナギ材７でつないでなる伸縮脚体８とを備え、伸縮脚体８の両伸縮脚６，６には対向する位置に係止部９を適当間隔おきに設け、主脚体５にはツナギ材４沿いにその中央側から両端側へ長く延び、中央側で対向する端部に把持部１２，１２を形成した一対のロックシャフト１３，１３を水平方向スライド自在に取り付け、常時はバネ１４，１４の付勢力で両ロックシャフト１３，１３の夫々外端部を両伸縮脚６，６の係止部９，９に係止させることによって伸縮脚体８を所要伸縮位置にロックし、両ロックシャフト１３，１３の把持部１２，１２を掴んでバネ１４に抗し互いに引き寄せてシャフト外端部を両伸縮脚６，６の係止部９，９から引き離すことによりロック解除するようにした作業台の伸縮脚ロック装置において、
各ロックシャフト１３は、把持部１２を含むシャフト内端部からシャフト外端側へ長く延びる長尺状シャフト本体１５の外端部に、このシャフト本体１５よりも太径のロックピン１６を連設し、この太径のロックピン１６を各伸縮脚６の係止部９に係止させるようにし、
前記ロックピン１６は、シャフト本体１５とは別体に形成したもので、コネクター１７を介してシャフト本体１５に連結すると共に、ロックシャフト１３のロック作用時にコネクター１７の先端部を主脚２に設けたロックピン側シャフトガイド金具１８に当接させることによってロックピン１６が伸縮脚６の係止部９側へ一定長さだけ突出するようにしてなることを特徴とする。
【０００７】
請求項２は、請求項１に記載の作業台の伸縮脚ロック装置において、前記コネクター１７はスリーブ状ナット部材からなり、このスリーブ状ナット部材１７の両端部にシャフト本体１５及びロックピン１６の夫々連結端部に設けた雄ねじ部１５ａ，１６ａをねじ込んで、シャフト本体１５とロックピン１６とを連結するようにしてなることを特徴としている。
【０００８】
請求項３は、請求項１又は２に記載の作業台の伸縮脚ロック装置において、前記ロックシャフト１３の把持部１２側をシャフト長さ方向スライド自在に支持する把持部側シャフトガイド金具１９は、前記ツナギ材４に取り付けられる取付板部３８と、この取付板部３８の一端部から直角下向きに延びるガイド板部３９とからなり、ガイド板部３９には、その一例を図７又は図８に示すように、シャフト本体１５の内端部側を略コ字状に折曲して形成されるコ字状把持部１２を除くシャフト本体１５側が嵌挿する上下に長いシャフト本体側ガイド長孔４１と、コ字状把持部１２の先端部１２ｏ側が挿通する把持部先端部側ガイド孔４０とを上下に所定の間隔で設けると共に、シャフト本体側ガイド長孔４１の側部にシャフト本体側挿脱用の切欠開口４２を設けて、この切欠開口４２からシャフト本体１５側をガイド長孔４１に嵌め入れた後、コ字状把持部１２の先端部１２ｏをガイド孔４０に軸方向に突入させることによって、シャフト本体１５側がガイド長孔４１の切欠開口４２からは抜け出ないようにしたことを特徴とすることを特徴とする。
【発明の効果】
【０００９】
上記解決手段による発明の効果を、後述する実施形態の参照符号を付して説明すると、請求項１に係る発明によれば、各ロックシャフト１３が、把持部１２を含むシャフト内端部からシャフト外端側へ長く延びる長尺状シャフト本体１５の外端部に、このシャフト本体１５よりも太径のロックピン１６を連設し、この太径のロックピン１６を各伸縮脚６の係止部９に係止させるようにしたものであるから、天板１及び主脚体５側の荷重がかかるロックピン１６は、大きな剪断荷重に十分に耐え得るように太い径にすることができる一方、シャフト本体１５は、その径を出来るだけ細くすることができて、重量を軽くでき、それによって作業台全体の重量の軽減化を図ることができる。
【００１０】
又、本発明によれば、ロックピン１６とシャフト本体１５とが別体に形成されてコネクター１７により連結されるようになっているから、ロックピン１６又はシャフト本体１５が破損した時はその破損した方を取り換えればよく、経済的である。またロック時は、コネクター１７の先端が、ロックピン側シャフトガイド金具１８に当接することによって、ロックピン１６の先端部が伸縮脚６の係止部９側へ一定長さしか突出せず、それによって伸縮脚６内に取り付けてある係止部取付片１１やこれを取り付けているリベットの頭部との間に隙間を形成できるから、一旦ロック状態を解除し、伸縮脚６を主脚２に対しスライドさせて脚長を調整する時に、ロックピン１６の先端部が係止部取付片１１やリベット頭部に当たったり、それらに引っ掛かるようなことがなく、従ってロックピン１６の先端部を破損したり、不快な金属音が発生するのを防止できる。また、このコネクター１７は、上記のようにロックピン１６の先端部の突出長さを一定長に制限するストッパーを兼ねるから、特別なストッパー手段を設ける必要がなく、構造を簡素化できる。
【００１１】
請求項２に係る発明によれば、コネクター１７がスリーブ状ナット部材からなり、このナット部材１７の両端部にシャフト本体１５及びロックピン１６の夫々連結端部に設けた雄ねじ部１５ａ，１６ａをねじ込んで、シャフト本体１５とロックピン１６とを連結するようにした場合には、構造が簡単となり、連結操作も容易に行うことができる。
【００１２】
請求項３に係る発明によれば、ロックシャフト１３の把持部側をガイド板部３９のガイド孔に挿通するのに、コ字状把持部１２に近いシャフト本体１５の所要部を、切欠開口４２からガイド長孔４１に嵌め入れた後、コ字状把持部１２の先端部１２ｏをガイド孔４０に軸方向に突入させればよいから、ガイド板部３９のガイド孔に対するロックシャフト１３の挿通作業が簡単容易となる。即ち、ロックシャフト１３のシャフトガイド金具１９への組込み作業を迅速容易に行なうことができる。
【図面の簡単な説明】
【００１３】
【図１】本発明の実施形態を示すもので、(a) は作業台の正面図、(b) は側面図である。
【図２】主脚体を示す拡大正面図である。
【図３】伸縮脚ロック装置のロック解除操作を行なっている状態の説明図である。
【図４】(a) は伸縮脚体を示す拡大正面図、(b) は(a) のＸ−Ｘ線断面図である。
【図５】伸縮脚ロック装置の要部を示す一部断面正面図である。
【図６】(a) は図５のＡ−Ａ線断面図、(b) は図５のＢ−Ｂ線断面図で、ロック状態を示し、(c) はロック解除状態を示す(b) と同様な断面図、(d) はシャフト本体とコネクターとロックピンとを互いに切り離した状態を示す説明図、(e) は図５のＣ−Ｃ線断面図である。
【図７】(a)は把持部側シャフトガイド金具の一例を示す斜視図、(b) はその正面図である。
【図８】(a)は把持部側シャフトガイド金具の他の例を示す斜視図、(b) はその正面図である。
【図９】従来の伸縮脚ロック装置の要部を示す一部断面正面図である。
【発明を実施するための形態】
【００１４】
以下に本発明の好適な一実施形態を図面に基づいて説明すると、図１に示す作業台は、作業者が載って作業を行なう天板１と、この天板１の下面側四隅部に配設された四本の主脚２・・・のうち天板１の各妻側端部で左右に対向する両主脚２，２を中間部及び下部側のツナギ材３，４でつなぐことによって形成される前後一対の主脚体５，５と、各主脚体５の両主脚２，２内に夫々伸縮可能に嵌挿される両伸縮脚６，６の下端部どうしをツナギ材７でつなぐことにより形成される前後一対の伸縮脚体８，８とを備えて構成される。各伸縮脚体８の伸縮脚６下端部にはキャスター５０が取り付けてある。
【００１５】
尚、各主脚体５を構成する左右両主脚２，２の上端部には、天板１下面の妻側両端部に固定されるブラケット３１，３１が取り付けてあって、両ブラケット３１，３１に脚体回転軸材３２が回転自在に軸架され、従って各主脚体５は、脚体回転軸材３２を中心として、図１の(b) に示すような開脚位置と、図示は省略するが、天板１の下面に添うように折り畳まれる折り畳み位置との間で回転可能となっている。天板１と中間部側ツナギ材３との間には、屈曲自在なステイ３３が介装されている。
【００１６】
伸縮脚体８の左右両伸縮脚６，６には、図４の(a) ，(b) に示すように、左右対向する位置に夫々係止部９が適当間隔おきに設けられ、主脚体５には、図２に示すようにツナギ材４の下面側沿いにその中央側から両端側へ長く延びて、中央側で対向する端部にロック解除操作用の把持部１２，１２を形成した一対のロックシャフト１３，１３が水平方向スライド自在に取り付けられていて、常時はバネ１４，１４の付勢力で両ロックシャフト１３，１３の夫々外端部を両伸縮脚６，６の係止部９に係止させることにより伸縮脚６，６を夫々所要伸縮位置にロックし、そしてロック解除時には図３に示すように両ロックシャフト１３，１３の把持部１２，１２を掴んでバネ１４，１４に抗し互いに引き寄せてシャフト１３，１３外端部を両伸縮脚６，６の係止部９，９から引き離すことによってロック解除するようになっている。尚、係止部９としては、図示のような段状の係止部が好ましいが、これに限定されることはない。例えば、ロックシャフト１３の先端部（ロックピン）が係脱可能に係止する係止孔でもよい。
【００１７】
図５及び図６に示すように、主脚体５の左右各主脚２は、アルミ押出形材で角筒状に形成されたもので、この角筒状主脚２内に伸縮脚体８の左右各伸縮脚６がスライド自在に嵌挿され、この伸縮脚６には内側面側に凹溝３４が全長に亘り条設されていて、この凹溝３４の底面に係止部９が設けられるが、この係止部９の一例として、水平状の係止段部１０ａと傾斜部１０ｂとを連設した係止部取付片１１が、凹溝３４の長さ方向一定間隔おきに複数個リベット止めされている。これら一連の係止部取付片１１の上端側と下端側には、図４の(a) ，(b) に概略図示するように、凹窪部３５を形成した凹窪部取付片３６がリベット止めされ、この凹窪部３５には、後述するストッパーピン２３を係入できるようになっている。このような伸縮脚６の構造については、図９に示す従来の作業台の伸縮脚体８と同じ構造である。
【００１８】
各ロックシャフト１３は、図５から分かるように、ロック解除操作用の把持部１２を含むシャフト内端部からシャフト外端側へ長く延びる長尺状シャフト本体１５の外端部に、このシャフト本体１５よりも太径のロックピン１６を連設してなるもので、この太径のロックピン１６を各伸縮脚６の係止部９に係止させるようにしている。このロックシャフト１３を含む本発明に係る伸縮脚ロック装置について、以下に詳細に説明する。
【００１９】
各ロックシャフト１３のシャフト本体１５は、図５に示すように、その内端部をコ字状に折曲形成して把持部１２としたもので、このシャフト本体１５の外端部は、シャフト本体１５とは別体に形成された、シャフト本体１５よりも太径のロックピン１６に、コネクター１７を介して連結されている。
【００２０】
コネクター１７は、図６の(d) に示すようなスリーブ状のナット部材からなるもので、このスリーブ状ナット部材１７のネジ孔１７ａの一端側に、シャフト本体１５の外端部に形成した雄ねじ部１５ａを螺入し、ネジ孔１７ａの他端側には、ロックピン１６の一端部に同軸一体に形成した雄ねじ部１６ａを螺入することにより、シャフト本体１５とロックピン１６とを一体的に連結するようになっている。
【００２１】
しかして、ロックシャフト１３は、図５に示すように、シャフト本体１５の内端部である把持部１２が、ツナギ材４の下面に固定された把持部側シャフトガイド金具１９によりシャフト軸方向スライド自在に支持され、シャフト本体１５の外端部にコネクター１７で連結されたロックピン１６が、主脚２に固定したロックピン側シャフトガイド金具１８によりシャフト軸方向スライド自在に支持されていて、常時は、把持部１２の先端部１２ｏに取り付けられてシャフト本体１５をロックピン１６側へ押動するように付勢する圧縮コイルバネ１４でロックピン１６の先端部を主脚２の開口部２０から突入させて伸縮脚６の係止部９に係止させることにより、伸縮脚６を所要伸縮位置にロックすることができる。
【００２２】
ロックピン側シャフトガイド金具１８は、図５及び図６の(b) ，(c) に示すように、アルミ押出形材で略角筒状に形成されたもので、主脚２に当接されて、主脚２から一体に突出する両側一対の支持板部３７，３７に挟持された状態で主脚２にリベット止めされて固定され、このシャフトガイド金具１８を貫通する貫通孔２１，２２によりロックシャフト１３のロックピン１６をスライド自在に支持している。尚、図５及び図６の(a) に示すように、下部側ツナギ材４の端部は、主脚２から突出する両側一対の支持板部３７，３７で挟持されると共に、両支持板部３７，３７に重合する両側一対の補強金具３０，３０で挟持された状態でリベット止めされて、主脚２に固定されている。中間部側ツナギ材４の端部も、この下部側ツナギ材４と同様にして主脚２に固定される。
【００２３】
図６の(b) は、ロックシャフト１３のロック作用時にコネクターであるスリーブ状ナット部材１７の先端がロックピン側シャフトガイド金具１８に当接して、ロックピン１６の先端部が伸縮脚６の係止部９側へ一定長さだけ突出している状態を示す平面図で、これと同じ状態を側面から見たのが図５である。この図５から分かるように、ロックシャフト１３がロック状態にある時にロックピン１６の先端部は、伸縮脚６の凹溝３４内へ一定長さしか突出せず、その凹溝３４に取り付けてある係止部取付片１１やこれを取り付けているリベットの頭部との間に隙間を形成しているから、一旦ロック状態を解除して、伸縮脚６を主脚２に対しスライドさせて高さ調整する時に、凹溝３４の底面を擦ったり、係止部取付片１１やリベット頭部に当たったり、それらに引っ掛かるようなことがく、従ってロックピン１６の先端部を破損したり、不快な金属音が発生するのを防止できる。
【００２４】
また、ロックピン側シャフトガイド金具１８には、図５及び図６の(e) に示すように、主脚２の係止部に対しねじによって進退移動するストッパーピン２３が螺装されている。即ち、このストッパーピン２３は、ボルトからなるもので、図６の(e) に示すように、シャフトガイド金具１８の一方側のボルト挿通孔２５から、このボルト挿通孔２５の内端部に固着されたナット２４に螺入されて、他方側のボルト挿通孔２６を通り、更に主脚２の開口部２７を通って伸縮脚６の凹溝３４に押し込まれるようになっている。このストッパーピン２３の基端部にはノブ２８が取り付けられ、このノブ２８とシャフトガイド金具１８との間に圧縮コイルバネ２９が介装されている。
【００２５】
前記ストッパーピン２３は、通常は、図６の(e) に示すように、ピン先端部が伸縮脚６の係止部９からシャフトガイド金具１８内に退入した位置に保持されており、ノブ２８をバネ２９の付勢力に抗して螺進方向に回すことにより、ピン先端部がシャフトガイド金具１８から伸縮脚６の凹溝３４内に突入して、係止部取付片１１や凹窪部取付片３６を介して伸縮脚６を主脚２に押し付け、伸縮脚６の横方向のガタつきを防止する。このようにストッパーピン２３の先端が伸縮脚６を直に押さず、係止部取付片１１等を介して押すようになっているため、アルミ押出形材で形成される伸縮脚６を傷つけることがない。また、圧縮コイルバネ２９は、ストッパーピン２３の解除状態を保持するもので、ピン解除時にストッパーピン２３が不測に伸縮脚６内に入り込まないようにして、伸縮動作に影響を与えないようにするためのものである。また圧縮コイルバネ２９は、ナット２４に螺入しているストッパーピン２３が不測に回転して緩むことを防止する機能も有する。
【００２６】
把持部側のシャフトガイド金具１９は、図５、図７及び図８に示すように、主脚体５の下部側ツナギ材４下面に取り付けられる取付板部３８と、この取付板部１９ａの一端部から直角下向きに延びるガイド板部３９とによりＬ字形に形成され、ガイド板部３９には、シャフト本体１５の内端部側に形成されたコ字状把持部１２を除くシャフト本体１５側が挿通する上下に長いシャフト本体側ガイド長孔４１と、コ字状把持部１２の先端部１２ｏ側が挿通する把持部先端部側ガイド孔４０とを上下所定間隔に設けると共に、シャフト本体側ガイド長孔４１の側部にシャフト本体側挿脱用の切欠開口４２を設けて、この切欠開口４２からシャフト本体側をガイド長孔４１に嵌め入れた後、コ字状把持部１２の先端部１２ｏをガイド孔４０に軸方向に突入させることによって、シャフト本体１５側がガイド長孔４１の切欠開口４２からは抜け出ないようにしたもので、図７には具体的な一例であるシャフトガイド金具１９Ａを示し、図８には他の具体例であるシャフトガイド金具１９Ｂを示す。
【００２７】
図７に示す把持部側シャフトガイド金具１９Ａでは、ガイド板部３９の上部側に設けられたシャフト本体側ガイド長孔４１は、その長径がシャフト本体１５の直径の２倍半程度であって、当該長孔４１の上部側孔部の曲率中心ａと、ガイド板部３９の下部側に設けられた把持部先端部側ガイド孔４０の中心ｂとの距離ηが、シャフト本体１５と把持部１２の先端部１２ｏとの軸芯間距離とほぼ同じになるように形成され、そしてシャフト本体側挿脱用の切欠開口４２は、シャフト本体側ガイド長孔４１の下部側孔部の側部に形成されている。尚、取付板部３８にはリベット孔３８ａが複数設けられ、この取付板部３８は、図５に示すように、ツナギ材４の下面にリベット４４止めされる。
【００２８】
従って、ロックシャフト１３を把持部側シャフトガイド金具１９Ａに取り付けるには、取付板部３８をツナギ材４の下面に取り付けた状態のシャフトガイド金具１９Ａのガイド板部３９に対し、ロックシャフト１３を、図７の(b) に示すように、シャフトガイド金具１９Ａの前方に平行に持ち来して、コ字状把持部１２に近いシャフト本体１５所要部を、切欠開口４２からガイド長孔４１に嵌め入れた後、持ち上げてガイド長孔４１の上部側孔部に嵌合させ、この状態でコ字状把持部１２の先端部１２ｏを、把持部先端部側ガイド孔４０に対し軸方向に突入させる。その後、ガイド孔４０から突出した把持部１２の先端部１２ｏに圧縮コイルバネ１４を嵌め込んで、突端部の雄ねじ部４５にナット４６を螺合する（図５参照）。そして、図６の(b) ，(c) ，(d) に示すように、ロックピン側シャフトガイド金具１８の貫通孔２１，２２にロックピン１６を貫通させて、このロックピン１６の基端部と、前記シャフト本体１５の外端部とをコネクターであるスリーブ状ナット部材１７で連結すればよい。
【００２９】
図８に示す把持部側シャフトガイド金具１９Ｂも、ガイド板部３９の上部側に設けられたシャフト本体側ガイド長孔４１は、その長径がシャフト本体１５の直径の２倍半程度であるが、当該長孔４１の下部側孔部の曲率中心ａと、ガイド板部３９の下部側に設けられた把持部先端部側ガイド孔４０の中心ｂとの距離ηが、シャフト本体１５と把持部１２の先端部１２ｏとの軸芯間距離とほぼ同じになるように形成され、そしてシャフト本体側挿脱用の切欠開口４２は、シャフト本体側ガイド長孔４１の上部側孔部の側部に形成されている。
【００３０】
従って、ロックシャフト１３を把持部側シャフトガイド金具１９Ｂに取り付けるには、ロックシャフト１３を、図８の(b) に示すように、シャフトガイド金具１９Ｂのガイド板部３９に対しその前方に平行に持ち来して、コ字状把持部１２に近いシャフト本体１５の所要部を、切欠開口４２からガイド長孔４１に落とし込んだ状態で、コ字状把持部１２の先端部１２ｏを、把持部先端部側ガイド孔４０に対し軸方向に突入させればよい。あとは図７に示すシャフトガイド金具１９Ａの場合と同様にして、ロックシャフト１３を取り付けることができる。
【００３１】
上述した図７、図８に示すような把持部側シャフトガイド金具１９（１９Ａ，１９Ｂ）を使用すれば、ロックシャフト１３の把持部側をガイド板部３９のガイド孔に挿通するのに、コ字状把持部１２に近いシャフト本体１５の所要部を、切欠開口４２からガイド長孔４１に嵌め入れた後、コ字状把持部１２の先端部１２ｏをガイド孔４０に軸方向に突入させればよいから、ガイド板部３９のガイド孔に対するロックシャフト１３の挿通作業が簡単容易で、迅速にロックシャフト１３の組込み作業を行なうことができる。即ち、図９に示すような従来の把持部側シャフトガイド金具４７では、ガイド板部３９の上下部に丸孔からなるガイド孔４９ａ，４９ｂを設けただけであるから、このガイド孔４９ａ，４９ｂにロックシャフト１３の把持部１２側を挿通するには、長いロックシャフト１３の外端部をガイド孔４９ａに対し軸方向に突入させて把持部１２側までスライドさせた後、把持部１２の先端部をガイド孔４９ｂに軸方向に突入させるようにするので、ロックシャフト１３の挿入操作が面倒となり、迅速に組み込むことが困難である。
【００３２】
以上説明したように構成される作業台の伸縮脚ロック装置によれば、両ロックシャフト１３，１３は、図１の(a) 及び図５に示すように、常時は圧縮コイルバネ１４，１４の付勢力により外端部側へ付勢されてロックピン１６，１６が両伸縮脚６，６の係止部９，９に係止され、ロック状態にある。従って、伸縮脚体８を主脚体５に対し伸縮調整する時は、両ロックシャフト１３，１３の把持部１２，１２を図３に示すように片手で掴んでバネ１４，１４に抗し互いに引き寄せることにより、両ロックシャフト１３，１３の外端部にあるロックピン１６，１６が、両伸縮脚６，６の係止部９，９から引き離されてロック解除されるから、このロック解除状態で伸縮脚体８の伸縮脚６，６を主脚体５の主脚２，２に対しスライドさせて伸縮脚体８の脚長を所望に調整した後、把持部１２，１２から手を放せば、両ロックピン１６，１６が両伸縮脚６，６の係止部９，９に係止して、伸縮脚体８を所要脚長にロックすることができる。
【００３３】
尚、この伸縮脚ロック装置が図５に示すようなロック状態の時、主脚体５の主脚２を保持した状態で伸縮脚体８の伸縮脚６を下向きにスライドさせて、ロックピン１６を各係止部取付片１１の傾斜部１０ｂに当てると、この傾斜部１０ｂのテーパ作用でロックピン１６がコイルバネ１４に抗してロック解除方向に押し戻される状態となるから、この状態では伸縮脚６を伸張方向にスライドさせることができる。
【００３４】
この伸縮脚ロック装置の大きな特徴は、各ロックシャフト１３が、把持部１２を含むシャフト内端部からシャフト外端側へ長く延びる長尺状シャフト本体１５の外端部に、このシャフト本体１５よりも太径のロックピン１６を連設し、この太径のロックピン１６を各伸縮脚６の係止部９に係止させるようにしたことにあるから、必然的にシャフト本体１５の径を細くすることができて、ロックシャフト１３の重量を軽減でき、それによって作業台全体の重量の軽減化を図ることができる。特に、この伸縮脚ロック装置は、現在使用されている従来タイプの作業台に後付け式に設置することが可能である。その場合は、主脚体５の両主脚２，２及びツナギ材３，４並びに伸縮脚体８の両伸縮脚６，６及びツナギ材７を夫々従来品をそのまま使用でき、そしてロックピン１６については、従来のロックシャフト１３に使用されるものと同じ径の丸鋼材を使用し、シャフト本体１５については、従来のロックシャフト１３に使用される丸鋼材よりも径小のもので形成すればよい。
【００３５】
また、この伸縮脚ロック装置では、ロック時には、コネクターであるスリーブ状ナット部材１７の先端が、図６の(b) に示すように、ロックピン側シャフトガイド金具１８に当接して、ロックピン１６の先端部が伸縮脚６の係止部９側へ一定長さしか突出せず、伸縮脚６の凹溝３４に取り付けてある係止部取付片１１やこれを取り付けているリベットの頭部との間に隙間を形成するから、一旦ロック状態を解除して、伸縮脚６を主脚２に対しスライドさせて脚長を調整する時に、凹溝３４の底面を擦ったり、係止部取付片１１やリベット頭部に当たったり、それらに引っ掛かるようなことがく、従ってロックピン１６の先端部を破損したり、不快な金属音が発生するのを防止できる。
【００３６】
上述した実施形態の伸縮脚ロック装置では、ロックピン１６を、シャフト本体１５とは別体に形成して、コネクター１７によりシャフト本体１５に連結するようにしているが、ロックピン１６をシャフト本体１５と一体に形成してもよい。但し、この実施形態のようにロックピン１６をシャフト本体１５と別体に形成してコネクター１７で連結するようにすれば、ロックピン１６又はシャフト本体１５が破損した時はその破損した方を取り換えればよいから、経済的となる。
【００３７】
また、実施形態の伸縮脚ロック装置では、コネクター１７として、スリーブ状ナット部材からなるものを使用したが、コネクター１７にはスリーブ状ナット部材１７以外の適当なものを使用することができる。但し、コネクター１７としてスリーブ状ナット部材を使用すれば、構造が簡単で連結操作も容易に行うことができる。また、上述した実施形態に示すコネクター１７は、ロックピン１６の先端部の突出長さを一定長に制限するストッパーを兼ねるから、特別なストッパー手段を設ける必要がなく、構造を簡素化できる。
【符号の説明】
【００３８】
１            天板
２            主脚
４            ツナギ材
５            主脚体
６            伸縮脚
７            ツナギ材
８            伸縮脚体
９            係止部
１２          把持部
１３          ロックシャフト
１４          圧縮コイルバネ
１５          シャフト本体
１６          ロックピン
【図１】
0005897935.tif 000002
【図２】
0005897935.tif 000003
【図３】
0005897935.tif 000004
【図４】
0005897935.tif 000005
【図５】
0005897935.tif 000006
【図６】
0005897935.tif 000007
【図７】
0005897935.tif 000008
【図８】
0005897935.tif 000009
【図９】
0005897935.tif 000010